(57)【要約】【課題】ユーザーの意図的なタッチ操作を禁止することなくユーザーが意図しないタッチ入力による誤作動を低減する。【解決手段】タッチパネルの組み付けられた操作パネルを備える据置き型の情報機器は、当該情報機器の外面における操作パネルの操作面以外の部位の状態に応じた信号を出力するセンサーと、センサーの出力に基づいて、部位の状態がユーザーの意図しないタッチ入力が比較的に起こり難い第１状態から比較的に起こり易い第２状態へ変化したこと、および第２状態から第１状態へ変化したことを検知する検知部と、検知部によって第１状態から第２状態への状態変化が検知されたときに、タッチパネルによるタッチ検出の感度を下げ、その後に検知部によって第２状態から第１状態への状態変化が検知されたときに感度を元に戻す感度制御部と、を有する。【選択図】図６
2014016917.tif 000002
【特許請求の範囲】
【請求項１】
タッチパネルの組み付けられた操作パネルを備える据置き型の情報機器であって、
当該情報機器の外面における前記操作パネルの操作面以外の部位の状態に応じた信号を出力するセンサーと、
前記センサーの出力に基づいて、前記部位の状態がユーザーの意図しないタッチ入力が比較的に起こり難い第１状態から比較的に起こり易い第２状態へ変化したこと、および前記第２状態から前記第１状態へ変化したことを検知する検知部と、
前記検知部によって前記第１状態から前記第２状態への状態変化が検知されたときに、前記タッチパネルによるタッチ検出の感度を下げ、その後に前記検知部によって前記第２状態から前記第１状態への状態変化が検知されたときに前記感度を元に戻す感度制御部と、を有する
ことを特徴とする据置き型の情報機器。
【請求項２】
前記操作パネルの前記操作面に、ユーザーがジョブの実行開始を指示するためのハードウェアキーであるスタートキーが配置されている
請求項１記載の据置き型の情報機器。
【請求項３】
前記タッチパネルは、
タッチ面内の静電容量の変化量に応じた検出信号を出力するタッチパッドと、
前記検出信号の示す前記変化量の絶対値が閾値を越えるときに、前記検出信号に基づいてタッチ位置データを生成して出力するタッチ検出回路と、を備えており、
前記感度制御部は、前記閾値の切替えによって前記感度を変化させる
請求項１または２記載の据置き型の情報機器。
【請求項４】
前記タッチパネルは、
タッチ面内の静電容量の変化量に応じた検出信号を出力するタッチパッドと、
前記検出信号の示す前記変化量の絶対値が閾値を越える期間が時間閾値を超えるときに、前記検出信号に基づいてタッチ位置データを生成して出力するタッチ検出回路と、を備えており、
前記感度制御部は、前記時間閾値の切替えによって前記感度を変化させる
請求項１または２記載の据置き型の情報機器。
【請求項５】
タッチパネルの組み付けられた操作パネルを備える据置き型の情報機器であって、
当該情報機器の外面における前記操作パネルの操作面以外の部位の状態に応じた信号を出力するセンサーと、
前記センサーの出力に基づいて、前記部位の状態がユーザーの意図しないタッチ入力が比較的に起こり難い第１状態から比較的に起こり易い第２状態へ変化したことを検知する検知部と、
前記検知部によって前記第１状態から前記第２状態への状態変化が検知されたときに、前記タッチパネルによるタッチ検出の感度を下げ、その後に設定期間が経過したときに前記感度を元に戻す感度制御部と、を有する
ことを特徴とする据置き型の情報機器。
【請求項６】
タッチパネルの組み付けられた操作パネルを備える複合機であって、
プラテンガラス上に置かれたシートから画像を読み取るイメージスキャナーと、
閉状態で前記プラテンガラスを覆い開状態で前記プラテンガラスを露出させる開閉が可能に前記イメージスキャナーに取り付けられたプラテンガラスカバーと、
前記プラテンガラスカバーの開閉状態に応じた信号を出力するカバー開閉センサーと、
前記カバー開閉センサーの出力に基づいて、前記プラテンガラスカバーが前記閉状態から前記開状態へ変化したこと、および前記開状態から前記閉状態へ変化したことを検知する検知部と、
前記検知部によって前記閉状態から前記開状態への状態変化が検知されたときに、前記タッチパネルによるタッチ検出の感度を下げ、その後に前記検知部によって前記開状態から前記閉状態への状態変化が検知されたときに、前記感度を元に戻す感度制御部と、を有する
ことを特徴とする複合機。
【請求項７】
前記プラテンガラスカバーは、その上面のシートセッティング部位に置かれた少なくとも１枚のシートを前記閉状態において前記プラテンガラスの上に搬送するドキュメントフィーダーである
請求項６記載の複合機。
【請求項８】
前記シートセッティング部位におけるシートの有無に応じた信号を出力するシートセッティングセンサーをさらに備え、
前記検知部は、前記シートセッティングセンサーの出力に基づいて、前記シート台にシートの無い非セッティング状態からシートの有るセッティング状態への変化を検知し、
前記感度制御部は、前記検知部によって前記非セッティング状態から前記セッティング状態への状態変化が検知されたときに、前記感度を下げ、その後に設定時間が経過したときに前記感度を元に戻す
請求項７記載の複合機。
【請求項９】
用紙の画像を印刷するプリンターエンジンと、
前記プリンターエンジンに前記用紙を供給する給紙位置と前記給紙位置に対する外側の用紙補給位置との間の移動が可能な引出し式の用紙カセットと、
前記用紙カセットの位置に応じた信号を出力するカセット位置センサーと、をさらに備え、
前記検知部は、前記カセット位置センサーの出力に基づいて、前記用紙カセットが前記給紙位置から前記用紙補給位置へ移動したこと、および前記用紙カセットが前記用紙補給位置から前記給紙位置へ移動したことを検知し、
前記感度制御部は、前記検知部によって前記用紙カセットの前記給紙位置から前記用紙補給位置へ移動したことが検知されたときに前記感度を下げ、その後に前記検知部によって前記用紙カセットの前記用紙補給位置から前記給紙位置へ移動したことが検知されたときに前記感度を元に戻す
請求項６ないし８のいずれかに記載の複合機。
【請求項１０】
前記操作パネルは手動の角度調整が可能に取り付けられており、
前記操作パネルの角度変化の有無を示す信号を出力するパネル角度センサーをさらに備え、
前記検知部は、前記パネル角度センサーの出力に基づいて、前記操作パネルの角度が変化したことを検知し、
前記感度制御部は、前記検知部によって前記操作パネルの角度の変化したことが検知されたときに前記感度を下げ、その後に設定時間が経過したときに前記感度を元に戻す
請求項６ないし９のいずれかに記載の複合機。
【請求項１１】
閉状態で当該複写機の内部を隠し開状態で前記内部を露出させる扉と、
前記扉の開閉状態に応じた信号を出力する扉開閉センサーとを、さらに備え、
前記検知部は、前記扉開閉センサーの出力に基づいて、前記扉の前記閉状態から前記開状態への状態変化、および前記扉の前記開状態から前記閉状態への状態変化を検知し、
前記感度制御部は、前記検知部によって前記扉の前記閉状態から前記開状態への状態変化が検知されたときに前記感度を下げ、その後に前記検知部によって前記扉の前記開状態から前記閉状態への状態変化が検知されたときに前記感度を元に戻す
請求項６ないし１０のいずれかに記載の複合機。
【請求項１２】
前記感度制御部は、前記タッチパネルのタッチ面の一部分のみに限定して前記感度を下げる
請求項６ないし１１のいずれかに記載の複合機。
【発明の詳細な説明】
【技術分野】
【０００１】
本発明は、操作のためのタッチパネルを有する据置き型の情報機器およびその一種である複合機に関する。
【背景技術】
【０００２】
ＭＦＰ（Multi-functional Peripheral）と呼ばれる複合機、コピー機、ファクシミリ装置といった据置き型の情報機器において、操作入力手段としてタッチパネルが用いられている。ここでいうタッチパネルは、液晶パネルのようなディスプレイに重ね合わせて用いられるタッチ式ポインティングデバイスである。タッチパネルの表面は、操作画面となる画像が表示されるスクリーンと操作のためのタッチ面とを兼ねる。
【０００３】
タッチパネルは、携帯型の情報機器の操作入力手段としても用いられている。特に、スマートフォンやタブレット型パーソナルコンピューターでは、投影型の静電容量方式のタッチパネルが用いられている。これにより、複数の指を同時にタッチ面に接触させるマルチタッチ操作が可能になっている。
【０００４】
投影型とシングルタッチ操作用の表面型とにかかわらず、静電容量方式のタッチパネルは、他の方式の中で最も一般的な抵抗膜方式のタッチパネルと比べて、タッチ検出の感度に優れる。強く押さない軽い接触やユーザーの指がタッチ面に接触する以前の近接を、タッチとして検出することができる。高感度であることは軽快な操作性を実現する。反面、ユーザーの意図しない指や手の動作をタッチ操作として検出し、操作に応じた処理を実行してしまう誤作動が起こり易い。
【０００５】
タッチ式ポインティングデバイスを有する携帯型機器の誤作動を防止する手法が提案されている。特許文献１では、キーボートに隣接してタッチパッドが配置されたノート型のパーソナルコンピューターにおいて、ユーザーがタッチパッド内の操作可能エリアを任意に設定できるようにすることが開示されている。設定された操作可能エリア以外のエリアのタッチ操作は無効化される。これによれば、ユーザーは、キーボードを操作するときに意図せずにタッチパッドに触れてしまっても誤操作にならないように、自己の癖や利用スタイルに合わせてタッチパッドをカスタマイズすることができる。
【０００６】
また、特許文献２では、タッチ操作が意図しない操作であることが予想されるような場合に、その操作を無効にして誤操作を防止できるようにすることが提案されている。同文献に開示された携帯電話装置は、外部の充電器に接続されたときおよび接続が解除されたときをユーザーが操作をしていない状況とみなし、接続の変化を判別したときのタッチ操作を無効にする。
【先行技術文献】
【特許文献】
【０００７】
【特許文献１】特開２０１１−２０４０９２号公報
【特許文献２】特開２０１１−３４１９６号公報
【発明の概要】
【発明が解決しようとする課題】
【０００８】
据置き型の情報機器のユーザーは、使用に際して、操作パネル以外の部位に意図的に触れたり近づいたり動かしたりする。例えば、コピー機やコピー機能を有する複合機を使用する際、ユーザーはプラテンガラスを覆うカバーをその一端を持ち上げるようにして開き、プラテンガラスの上に原稿をセットする。用紙の補給や色材の交換などのためにハウジングに設けられた扉を開閉することもある。また、ファクシミリ機やファクシミリ機能を有する複合機の使用に際して、ユーザーはファクシミリ原稿を原稿台にセットする。原稿台に設けられた可動式の原稿ガイドの位置調整を行うこともある。
【０００９】
このように操作パネルの操作以外の動作を行なうときに、ユーザーの手、腕、頭、胴体などといった身体の一部が、ユーザーに意識されることなく、操作パネルに触れたり近づいたりすることが考えられる。つまり、静電容量式のように感度に優れるタッチパネルを操作パネルに組み付けると、情報機器がユーザーの意図しない動作をすることがあり得る。そこで、上述の先行技術を適用して、タッチパネルの一部の領域に限ってタッチを有効としたり、所定の場合に限ってタッチ操作を無効にしたりすれば、ユーザーの意図しないタッチ入力に因る誤作動を低減することができる。
【００１０】
しかし、タッチパネルの一部分であれ一時的であれ、タッチ入力を無効にすると、ユーザーが意図的に操作をしようとしても情報機器が操作を受け付けないことになる。このことは情報機器の使い勝手を低下させる。言い換えれば、例えばコピー作業に慣れたユーザーにとっては、原稿をセットするためにカバーを開けながら、タッチパネルを用いてコピー枚数または他のコピー条件を指定することのできる操作性が好ましい。
【００１１】
本発明は、このような事情に鑑み、ユーザーの意図的なタッチ操作を禁止することなくユーザーが意図しないタッチ入力による誤作動を低減することを目的としている。
【課題を解決するための手段】
【００１２】
上記目的を達成する情報機器は、タッチパネルの組み付けられた操作パネルを備える据置き型の情報機器であって、当該情報機器の外面における前記操作パネルの操作面以外の部位の状態に応じた信号を出力するセンサーと、前記センサーの出力に基づいて、前記部位の状態がユーザーの意図しないタッチ入力が比較的に起こり難い第１状態から比較的に起こり易い第２状態へ変化したこと、および前記第２状態から前記第１状態へ変化したことを検知する検知部と、前記検知部によって前記第１状態から前記第２状態への状態変化が検知されたときに、前記タッチパネルによるタッチ検出の感度を下げ、その後に前記検知部によって前記第２状態から前記第１状態への状態変化が検知されたときに前記感度を元に戻す感度制御部と、を有する。
【発明の効果】
【００１３】
本発明によれば、ユーザーの意図しないタッチ入力が比較的に起こり易い状態においてタッチ検出の感度を下げるので、ユーザーの意図的なタッチ操作を禁止することなくユーザーが意図しないタッチ入力による誤作動を低減することができる。
【図面の簡単な説明】
【００１４】
【図１】本発明の実施形態に係るＭＦＰの外観および外面を形成する複数の部分の状態変化を示す斜視図である。
【図２】操作パネルの構成を示す斜視図である。
【図３】ＭＦＰのハードウェア構成を示すブロック図である。
【図４】タッチパネルの制御に関わる機能構成を示す図である。
【図５】タッチパネルの動作特性を模式的に示すグラフである。
【図６】タッチ検出の感度制御方法の一例に係る閾値の説明のためのグラフである。
【図７】タッチ検出の感度制御方法の他の例に係る時間閾値の説明のためのグラフである。
【図８】感度制御のための感度設定テーブルの例を示す図である。
【図９】ＭＦＰの動作の概要を示すフローチャートである。
【図１０】タッチ感度制御処理のフローチャートである。
【図１１】タッチ感度制御処理のうちの感度制御Ａ処理ルーチンのフローチャートである。
【図１２】タッチ感度制御処理のうちの感度制御Ｂ処理ルーチンのフローチャートである。
【図１３】タッチ感度制御処理のうちの感度制御Ｄ処理ルーチンのフローチャートである。
【発明を実施するための形態】
【００１５】
タッチパネルを用いて操作される据置き型の情報機器の例としてＭＦＰを挙げる。ＭＦＰは、コピー機、プリンター、ネットワークスキャナー、ファクシミリ機、ドキュメントサーバーなどとして使用可能な複合機（複合型のオフィス機器）である。
【００１６】
図１に例示されるＭＦＰ１は、胴内排紙型のコピー機と同様の外観を呈し、略角柱状の設置スペースに収まる外形をもつ。高さは１２０ｃｍ程度である。高さ方向の中央よりも上側に印刷後の用紙を積載する胴内排紙空間２０が存在し、胴内排紙空間２０の上方にイメージスキャナー１４とＡＤＦ（Auto Document Feeder）１３とが配置されている。胴内排紙空間２０の下側の部分がプリンター部分１Ｂである。
【００１７】
プリンター部分１Ｂのうちの下側に、前方側に引き出し可能な４段の引出し式の用紙カセット４５，４６，４７，４８が配置されており、プリンター部分１Ｂのうちの上側の内部に電子写真式のプリンターエンジンが装着されている。プリンター部分１Ｂのハウジングには、プリンターエンジンの保守のためのフロント扉４１、およびジャム発生時に搬送経路から用紙を取り除くジャム対処作業のためのサイド扉４２が設けられている。
【００１８】
ＭＦＰ１において、操作パネル１２は、イメージスキャナー１４の前面部の右端側に取り付けられている。操作パネル１２は、操作面が前方の斜め上方に向く姿勢範囲内で、操作面を水平に近づけたり垂直に近づけたりする手動の角度調整が可能である。操作パネル１２には、後述するタッチパネルが組み込まれている。
【００１９】
ＭＦＰ１には、その使用に際して操作パネル１２以外にユーザーが意図的に手で動かしたり手を近づけたりする箇所（これを“特定部位”と呼称する）が幾つかある。そして、これら特定部位に係る作業の過程で、ユーザーの身体の一部が操作パネル１２に触れてしまうことがある。そうすると、例えばコピージョブがそれを指定したユーザーの意に反してスキャンジョブに変わってしまうという状況が発生する。
【００２０】
特定部位の一つはＡＤＦ１３である。図１中の吹出しＢ１に示されるように、ＡＤＦ１３は、イメージスキャナー１４のプラテンガラス１４２が露出する開状態の位置に変位させることができる。詳しくは、ＡＤＦ１３はその後端縁に沿う軸を中心として回動可能にイメージスキャナー１４に支持されている。ユーザーはＡＤＦ１３の前端部を持ち上げて開状態にしたり、前端部を押し下げてプラテンガラス１４２に重なる閉状態にしたりすることができる。つまり、ＡＤＦ１３は、プラテンガラス１４２を覆うプラテンガラスカバーの機能を有している。
【００２１】
ＡＤＦ１３が開状態とされるのは、ユーザーがＡＤＦ１３の搬送機能を利用せずに、自ら原稿シートをプラテンガラス１４２の上に載置する場合である。書籍や厚紙のようにＡＤＦ１３による自動搬送に適さない原稿シートの画像を読取らせたい場合や、原稿シートの載置位置を意図的に標準位置と異なる位置にずらしたいといった場合に、ＡＤＦ１３の開閉が行なわれる。
【００２２】
図１中の吹出しＢ１の例示では、ユーザーが左手７６でＡＤＦ１３を開状態としながら、右手７５で原稿シート６１をプラテンガラス１４２の上に載置しようとしている。このような状況において、ユーザーの右手、右腕および右腕を覆う衣服の少なくともいずれかが操作パネル７５に触れてしまうおそれがある。
【００２３】
ＡＤＦ１３には、吹出しＢ２に示される原稿台（シートセッティング部位）１３２という特定部位がある。図示では、閉状態のＡＤＦ１３における原稿台１３２に原稿シートの束６５をセッティングしようとして、ユーザーが原稿シートの束６５を持つ右手７５を原稿台１３２に近づけたときに、右腕を覆う衣服が操作パネル１２に触れている様子が描かれている。
【００２４】
操作パネル１２自体も特定部位の一つである。ユーザーが画面を見易くするために、吹出しＢ３のように操作パネル１２の角度を変更することがある。このとき、操作パネル１２を持つ手の指がタッチパネルに触れてしまうおそれが多分にある。
【００２５】
他の特定部位として、フロント扉４１、サイド扉４２、および用紙カセット４５，４６，４７，４８が挙げられる。吹出しＢ３のようにフロント扉４１を開けて例えばトナーボトルを交換したり、吹出しＢ５のようにサイド扉４２を開けてジャム対処作業をしたりすることがある。吹出しＢ６のように用紙カセット４５を引き出したりすることはしばしばある。そして、これらの部位に関わる作業に際して、前かがみになったときに髪の毛が操作パネル１２に触れたり、顔が操作パネル１２に近づき過ぎたりすることがある。しゃがんで作業するときも同様である。さらに、車椅子に座ったユーザーがジャム対処作業に際して、体を支えようと操作パネル１２を掴んでしまうことがあり得る。
【００２６】
特定部位に係る作業に際して、ユーザーが意図せずに操作パネル１２に触れたり近づき過ぎたりしても、それによって誤動作が起きることのないようにする必要がある。そこで、ＭＦＰ１には、ユーザーの意図しないタッチ入力を正規の操作として受け付けることがないようにする操作入力制御機能が実装されている。以下、この操作入力制御機能を中心に、ＭＦＰ１の構成および動作を説明する。
【００２７】
図２のように、操作パネル１２は、タッチパネル部１２Ａと固定キーパネル１２Ｂとを有する。タッチパネル部１２Ａには、操作画面を表示するディスプレイとその表示面内のタッチされた位置を検出するタッチパネルとが組み付けられている。ハードキーパネル１２Ｂには、スタートキー４１、ストップキー４２、およびリセットキー４３を含む複数のハードウェアキー（固定キー）が配置されている。スタートキー４１はジョブに応じた動作を開始させるキーであり、ストップキー４２は実行中の動作を停止させるキーであり、リセットキー４３は動作設定の変更を元に戻すキーである。
【００２８】
図３はＭＦＰ１のハードウェア構成を示している。ＭＦＰ１の全体制御を担うメインコントローラー１０は、制御プログラムや各種アプリケーションを実行するコンピューターとしてのＣＰＵ（Central Processing Unit）２１、制御プログラムを記憶するＲＯＭ（Read Only Memory）２２、プログラム実行のワークエリアとされるＳ−ＲＡＭ（Static Random Access Memory）２３、および制御に必要な設定データを記憶するバッテリバックアップされたＮＶ−ＲＡＭ（不揮発性メモリ）２４を有する。ＮＶ−ＲＡＭ２４は、特定部位ごとにタッチ検出の感度を制御するための感度設定テーブル９０を記憶する。
【００２９】
メインコントローラー１０には、上述した複数の特定部位のそれぞれに対応した機械式または光学式のセンサーから特定部位の状態を示す信号が入力される。特定部位はＭＦＰ１の外面を形成する機構や部材であるので、特定部位の状態とは、ＭＦＰ１の外面の一部分の状態であると言える。複数個のセンサーによって検出される複数の特定部位の状態は、開閉に伴って切り替わる配置位置状態、および接触物体としての原稿シートの有無で決まる外部との接触／非接触状態である。
【００３０】
ＡＤＦ開閉センサー３１は、ＡＤＦ１３の開閉状態に応じた信号を出力する。原稿セッティングセンサー３２は、ＡＤＦ１３の原稿台１３２における原稿シートの有無に応じた信号を出力する。パネル角度センサー３３は、操作パネル１２の角度変化の有無を示す信号を出力する。フロント扉センサー３４は、フロント扉４１の開閉状態に応じた信号を出力する。サイド扉センサー３５は、サイド扉４２の開閉状態に応じた信号を出力する。カセット位置センサー３６ａ，３６ｂ，３６ｃ，３６ｄは、それぞれ用紙カセット４５，４６，４７，４８の引き出し方向（ＭＦＰ１の前後方向）の位置に応じた信号を出力する。なお、以下では、カセット位置センサー３６ａ，３６ｂ，３６ｃ，３６ｄを総称してカセット位置センサー３６ということがある。
【００３１】
操作パネル１２のタッチパネル部１２Ａは、ディスプレイ２５およびタッチパネル２６を有している。ディスプレイ２５は液晶パネルである。ただし、有機エレクトロルミネッセンス、または他のデバイスであってもよい。タッチパネル２６は、マルチタッチ操作に対応する投影型の静電容量式タッチパネルである。
【００３２】
ＡＤＦ１３は、コピー、イメージ入力、またはファクシミリ送信において、原稿台１３２にセットされた原稿シートをイメージスキャナー１４におけるプラテンガラス１４２上の読取り位置へ搬送する。イメージスキャナー１４は原稿シートに記録されている画像情報を光学的に読み取る。プリンターエンジン１５は、多段式の用紙スタッカー１６から供給される用紙の片面または両面に電子写真法によってモノクロまたはカラーの画像をプリントする。モデム１７は電話回線によるファクシミリ通信に用いられる。通信インタフェース１８はＭＦＰ１を外部装置との通信のためのネットワークに接続する。ストレージ１９はハードディスクドライブ（ＨＤＤ）のような大容量記憶デバイスである。ストレージ１９には、制御プログラムや操作パネル１２による操作画面の表示のための画面データを含む制御用のデータを記憶する媒体としてのメモリ領域とともに、各種のドキュメントを保存するボックスと呼ばれるメモリ領域が設けられる。
【００３３】
図４はタッチパネルの制御に関わる機能構成を示している。
【００３４】
図４のように、タッチパネル２６は、タッチ面内の静電容量の変化量に応じた検出信号を出力するための電極マトリクスが配置されたタッチパッド２６１と、タッチパッド２６１の出力に基づいてタッチ位置を特定する演算を行うタッチ検出回路２６３とを備える。タッチ検出回路２６３は、タッチパッド２６１の電極マトリクスの各交点の静電容量の変化を順に周期的に検出するためのスキャンパルスを出力する駆動部、タッチパッド２６１からのアナログ信号を量子化するＡＤ変換部、および演算を担うプロセッサーを備えている。タッチ検出回路２６３による演算で得られたタッチ位置データＤｘｙが、メインコントローラー１０のＣＰＵ２１に入力される。
【００３５】
ＣＰＵ２１は、操作入力部２１１、検知部２１２、および感度制御部２１３として動作する。これらの要素は、ＣＰＵ２１が所定のコンピュータープログラムを実行することによって実現される機能要素である。
【００３６】
操作入力部２１１は、タッチ検出回路２６３からのタッチ位置データＤｘｙに基づいて操作内容を判別し、ユーザーによる指示に応じた処理を行なう。例えば、複数の機能にそれぞれ対応する選択ボタンを有した操作画面が操作パネル１２において表示されている状態において、タッチ位置データＤｘｙの示す位置からユーザーがタッチした選択ボタンを解析する。そして、その選択ボタンに対応する機能（例えば両面コピー）に係る詳細設定のための操作画面への表示切替えをその制御を担う機能要素に指示する。タッチ位置データＤｘｙが複数位置の示す場合には、順次に入力されるタッチ位置データＤｘｙに基づいて、ピンチインやピンチアウトといったマルチタッチ操作を判別し、画面表示の拡大や縮小をその制御を担う機能要素に指示する。
【００３７】
検知部２１２は、ＡＤＦ開閉センサー３１をはじめとする特定部位に配置されたセンサーの出力に基づいて、特定部位の状態がユーザーの意図しないタッチ入力が比較的に起こり難い第１状態から比較的に起こり易い第２状態へ変化したことを検知する。また、一部のセンサーについては、第２状態から第１状態へ変化したことも検知する。例えば、ＡＤＦ開閉センサー３１の出力が示す状態のうち、閉状態が第１状態であり、開状態が第２状態である。検知部２１２による検知結果は感度制御部２１３に伝えられる。
【００３８】
感度制御部２１３は、検知部２１２によって第１状態から第２状態への状態変化が検知されたときに、タッチパネル２６によるタッチ検出の感度を下げる。ただし、ユーザーの意図的なタッチ操作が無効にならないようにするため、感度を零にはしない。そして、感度を下げた後に検知部２１２によって第２状態から第１状態への状態変化が検知されたとき、または設定時間が経過したとき、感度を元に戻す。“感度を下げる”とは、タッチパネル２６のタッチ検出回路２６３に対して、タッチパッド２６１からの信号に対して有効／無効を決める閾値を変更するよう指示すること意味する。また、“感度を元に戻す”とは、タッチ検出回路２６３に対して、変更された閾値を元の値（通常の閾値）に戻すよう指示することを意味する。感度制御部２１３は、変更後の閾値を示すデータＤｔｈをタッチ検出回路２６３に与える。感度を下げる指示をする際に、感度制御部２１３は、感度設定テーブル９０を参照し、特定部位別に定められた感度指定データ（後述の増加分Δｔｈ）に基づいて変更後の閾値を決め、その閾値を示すデータＤｔｈをタッチ検出回路２６３に与える。
【００３９】
図５において曲線Ｌ１で示されるように、タッチ面とそれに近づく指または他の感応物体との距離ｄに応じたタッチ検出信号が、タッチパッド２６１から出力される。本実施形態では、距離ｄが零に近づくにつれてタッチ検出信号値が大きくなるものとする。
【００４０】
ユーザーがタッチしようとしてタッチ面内の位置Ｘに指を近づけるとき、その位置Ｘがタッチ検出回路２６３によって走査されるごとにタッチパッド２６１から出力されるタッチ検出信号の値が次第に大きくなる。タッチ検出回路２６３は、タッチ検出信号値が所定の閾値を越えた時点で、タッチ検出信号値を有効とする（つまり、タッチ操作が行なわれたとみなす）。そして、タッチ検出回路２６３は、位置Ｘとその周囲の複数の位置の有効なタッチ検出信号値に基づいて、タッチ位置を演算する。この演算は、電極マトリクスの電極数よりも位置検出の分解能を大きくするために行なわれる。
【００４１】
タッチパネル２６によるタッチ検出の感度は、タッチ検出信号の有効／無効の判断基準である閾値によって決まる。ユーザーの意図しないタッチ入力が比較的に起こり難いとされる状態（第１状態）では、通常の閾値Ｓｔｈ１が設定されている。通常の閾値Ｓｔｈ１は、タッチパネル２６の製造時またはその後のキャリブレーションにおいて調整される。図５の例示での通常の閾値Ｓｔｈ１は、タッチ検出信号値をそれが取り得る最大値を「１００」として正規化したときの「４０」である。このような通常の閾値Ｓｔｈ１よりも大きい値に閾値を設定することにより、タッチ検出の感度が下がる。
【００４２】
図６における曲線Ｌ２は、タッチ面内の位置Ｘにおけるタッチ検出信号値の変化を模式的に示している。図では連続しているが、実際のタッチ検出信号は走査周期で決まる時間ごとに現れる離散信号である。現在の閾値が通常の閾値Ｓｔｈ１であれば、時刻ｔ１から時刻ｔ２までの期間Ｔにおいてタッチ検出信号値が通常の閾値Ｓｔｈ１を超えるので、この期間Ｔにおいてタッチ検出信号値が有効となる。これに対して、通常の閾値Ｓｔｈ１よりも増加分Δｔｈだけ大きい閾値Ｓｔｈ２が現在の閾値として設定されている場合には、タッチ検出信号値は閾値Ｓｔｈ２を越えない。有効なタッチ検出信号値が得られないことになり、タッチ入力があってもそれはタッチ操作として検出されない。
【００４３】
タッチ検出の感度を制御する他の方法として、タッチ検出信号値の大小の判定に加えて、タッチ検出信号値が閾値を越える期間の長短を判定する方法がある。つまり、所定時間にわたって持続するタッチ入力をユーザーが意図したタッチ操作とみなし、所定時間よりも短いタッチ入力をタッチ操作とみなさないようにすることができる。この方法では、図７に示されるように時間閾値を長くする（例えば通常は０．５であるものを１秒とする）ことによってタッチ検出の感度が低減される。
【００４４】
図７の曲線Ｌ３も図６の曲線Ｌ２と同様にタッチ検出信号値の変化を模式的に示している。図７においても、時刻ｔ１から時刻ｔ２までの期間Ｔにおいてタッチ検出信号値が閾値Ｓｔｈ(信号レベル閾値）を超える。ここで、期間Ｔの長短の判定基準となる時間閾値が、時刻ｔ１から時刻ｔ２より以前の時刻ｔ３までの時間に相当する通常の時間閾値Ｔｔｈ１であれば、閾値Ｓｔｈを超えるタッチ検出信号値が有効とされる。これに対して、時間閾値が時刻ｔ１から時刻ｔ２より以後の時刻ｔ４までの時間に相当する時間閾値Ｔｔｈ２であれば、有効なタッチ検出信号値が得られないことになり、タッチ入力があってもそれはタッチ操作として検出されない。
【００４５】
図８は感度制御部２１３が参照する感度設定テーブル９０の例を示している。感度設定テーブル９０は、上述の特定部位の状態を検出するためのセンサーのそれぞれに対して定められた、閾値の増加分Δｔｈを示す。増加分Δｔｈは通常の閾値との差分である。増加分Δｔｈの値がセンサーによって異なるのは、ユーザーの意図しないタッチ入力の生じる確率が、各センサーによって検知される状態変化によって異なるからである。感度設定テーブル９０では、実験によって求められたユーザーの意図しないタッチ入力の生じる確率の大きい状態変化に対して、確率の小さい状態変化よりも大きい増加分Δｔｈが設定されている。つまり、ユーザーが意図的にタッチ操作をするときは感度の高いのが好ましいので、意図しないタッチ入力の生じる確率の小さいときには感度の低減を緩くするように、増加分Δｔｈが設定されている。
【００４６】
図６で説明したようにタッチ検出信号値に対する閾値を変更する方法を用いる場合、タッチ検出の感度を下げるときは、通常の閾値Ｓｔｈ１に増加分Δｔｈを加えた値が感度低減時の閾値Ｓｔｈ２になる。例えば、パネル角度センサー３３によって操作パネル１２の角度変更を検知した場合、通常の閾値Ｓｔｈ１を「４０」とすると、増加分Δｔｈが「４０」であるので、感度低減時の閾値Ｓｔｈ２は「８０」とされる。また、ＡＤＦ開閉センサー３１によってＡＤＦ１３の開いたことが検知された場合、感度低減時の閾値Ｓｔｈ２は通常の閾値Ｓｔｈ１の「４０」に増加分Δｔｈの「３０」を加えた「７０」とされる。
【００４７】
なお、既に感度が低減されている状況において、新たに特定部位の状態変化が検知された場合、新たに検知された状態変化に対して定められている増加分Δｔｈの方が既に行なわれている感度低減に係る増加分Δｔｈよりも大きいときは、大きい方の増加分Δｔｈを適用した閾値に変更される。新たに検知された状態変化に対して定められている増加分Δｔｈの方が既に行なわれている感度低減に係る増加分Δｔｈよりも小さいときは、さらなる感度の低減は行なわれない。すなわち、本実施形態では、複数の状態変化が検知された場合、複数の状態変化に対応する複数の増加分Δｔｈのうちの最も値の大きい一つの増加分Δｔｈのみを適用して感度が制御される。
【００４８】
また、例示では、ＡＤＦ１３に代えて搬送機能のないプラテンガラスカバーを取り付ける使用形態を想定し、プラテンガラスカバーの開閉に対応した増加分が定められている。プラテンガラスカバーを取り付ける場合、ＡＤＦ開閉センサー３１をプラテンガラスカバーの開閉を検知するためのカバー開閉センサーとして流用することができる。
【００４９】
図７で説明したように時間閾値を変更する方法を用いる場合にも、感度設定テーブル９０を適用することができる。増加分Δｔｈを、通常の時間閾値Ｔｔｈ１の延長分として感度低減時の時間閾値Ｔｔｈ２を計算すればよい。
【００５０】
以下、フローチャートを参照してＭＦＰ１の動作を説明する。
【００５１】
図９はＭＦＰの動作の概要を示すフローチャートである。ＭＦＰ１は、操作画面を表示してユーザーによるジョブを指定する操作を受け付ける（＃１０）。このパネル操作の受付処理において、ジョブの詳細の指定する操作があれば、それに従ってジョブの動作を設定する。例えば、コピージョブでは、枚数、倍率、用紙サイズといった基本設定、および各種の応用機能の設定が操作に応じて行なわれる。操作パネル１２からの信号には、タッチパネル２６からのタッチ位置データＤｘｙが含まれる。
【００５２】
スタートキー４１が押されると（＃１２でＹＥＳ）、ＭＦＰ１はそれ以前の操作でユーザーが指定したジョブを実行する（＃１４）。ただし、設定操作が行なわれずにスタートキー４１が押される場合がある。その場合、ＭＦＰ１はデフォルトのジョブを実行する。デフォルトのジョブは用紙サイズを自動設定する等倍コピーである。ユーザーが原稿シートをＡＤＦ１３にセットしてスタートキー４１を押せば、ＭＦＰ１は等倍コピーを開始する。
【００５３】
スタートキー４１が押される以前に（＃１２でＮＯ）、検知部２１２がセンサー出力によって所定の状態変化を検知すると（Ｓ１６でＹＥＳ）、タッチ感度制御処理が実行される（＃１８）。状態変化が無ければ（＃１６でＮＯ）、フローはステップ＃１０へ戻り、ＭＦＰ１はジョブを指定する操作またはジョブの開始を指示するスタートキー４１の押下を待つ。
【００５４】
図１０はタッチ感度制御処理のフローチャートである。タッチ感度制御処理では、検知した状態変化がどの特定部位の状態変化であるかが判別される（＃２０）。そして、検知した状態変化に応じた処理が行なわれる。ＡＤＦ１３の開閉が検知されたときは感度制御Ａ処理が行なわれ（＃２１）、ＡＤＦ１３への原稿シートのセッティングが検知されたときは感度制御Ｂ処理が行なわれる（＃２２）。操作パネル１２の角度変更が検知されたときは感度制御Ｃ処理が行なわれ（＃２３）、用紙カセット４５，４６，４７，４８の少なくも一つの引き出されたことが検知されたときは感度制御Ｄ処理が行なわれる（＃２４）。サイド扉４２の開いたことが検知されたときは感度制御Ｅ処理が行なわれ（＃２５）、フロント扉４１の開いたことが検知されたときは感度制御Ｆ処理が行なわれる（＃２６）。
【００５５】
図１１は感度制御Ａ処理ルーチンのフローチャートである。感度制御Ａ処理ルーチンでは、検知部２１２によって検知されたＡＤＦ１３の状態変化が、閉状態から開状態への変化（オープン）と開状態から閉状態への変化（クローズ）とのいずれであるかが判別される（＃２１０）。
【００５６】
検知された変化がオープンであった場合、感度制御部２１３は、感度設定テーブル９０からＡＤＦ開閉センサー３１に感度指定データとして対応づけられている増加分Δｔｈを読み出し（＃２１１）、変更後の閾値Ｓｔｈ２（またはＴｔｈ２）を決める（＃２１２）。そして、感度制御部２１３は、タッチ検出回路２６３に対して閾値の変更を指示し、それによってタッチ検出の感度を低下させる（＃２１３）。
【００５７】
一方、検知された変化がクローズであった場合、感度制御部２１３はタッチ検出回路２６３に対して閾値を通常の閾値に戻すよう指示する（＃２１４）。
【００５８】
図１２は感度制御Ｂ処理ルーチンのフローチャートである。感度制御Ｂ処理ルーチンでは、最初に所定の時間を計時するタイマーをスタートさせる（＃２２０）。感度制御部２１３は、感度設定テーブル９０から原稿セッティングセンサー３２に対応づけられている増加分Δｔｈを読み出し（＃２２１）、変更後の閾値Ｓｔｈ２（またはＴｔｈ２）を決める（＃２２２）。そして、感度制御部２１３は、タッチ検出回路２６３に対して閾値の変更を指示し、それによってタッチ検出の感度を低下させる（＃２２３）。その後、感度制御部２１３は、タイマーの終了を待って（２２４）、タッチ検出回路２６３に対して閾値を通常の閾値に戻すよう指示する（＃２２５）。
【００５９】
タイマーが計時する時間を例えば２秒とすることができる。これは、ユーザーが原稿シートをセットし、その後にスタートキー４１を押下しようと腕を動かす期間の長さがおよそ２秒であるとの仮定に基づいている。腕を動かし終えると、誤ってタッチパネル２６に触れることは起こり難いと考えられる。
【００６０】
なお、ＡＤＦ１３による原稿シートの搬送に伴って、タイマーが終了する以前の段階で、原稿台１３２上に原稿シートの無い状態が検知されたときに感度を戻すようにしてもよい。
【００６１】
図示を省略するが、感度制御Ｃ処理ルーチンでは、基本的に感度制御Ｂ処理ルーチンと同様の処理が行なわれる。すなわち、タイマーをスタートさせ、パネル角度センサー３３に対応づけられている増加分Δｔｈを適用して感度を下げ、タイマーの終了を待って感度を元に戻す。ただし、タイマーが計時する時間は感度制御Ｂ処理ルーチンと同一であってもなくてもよい。
【００６２】
図１３は感度制御Ｄ処理ルーチンのフローチャートである。感度制御部２１３は、感度設定テーブル９０からカセット位置センサー３６に対応づけられている増加分Δｔｈを読み出し（＃２４１）、変更後の閾値Ｓｔｈ２（またはＴｔｈ２）を決める（＃２４２）。そして、感度制御部２１３は、タッチ検出回路２６３に対して閾値の変更を指示し、それによってタッチ検出の感度を低下させる（＃２４３）。
【００６３】
その後、感度制御部２１３は、引き出されている用紙カセットが給紙位置へ戻されるのを待って（２４４）、タッチ検出回路２６３に対して閾値を通常の閾値に戻すよう指示する（＃２４５）。
【００６４】
なお、感度を下げた後の用紙カセットが給紙位置へ戻される以前の段階で、所定時間が経過したときに感度を戻すようにしてもよい。
【００６５】
図示を省略するが、感度制御Ｅ処理ルーチンおよび感度制御Ｆ処理ルーチンでは、基本的に感度制御Ｄ処理ルーチンと同様の処理が行なわれる。すなわち、感度制御Ｅ処理ルーチンでは、サイド扉センサー３５に対応づけられている増加分Δｔｈを適用して感度を下げ、サイド扉４２が閉じられるのを待って感度を元に戻す。感度制御Ｆ処理ルーチンでは、フロント扉センサー３４に対応づけられている増加分Δｔｈを適用して感度を下げ、フロント扉４１が閉じられるのを待って感度を元に戻す。
【００６６】
以上の実施形態によれば、複数の特定部位別に感度の変更幅が定められるので、ユーザーの意図しない誤作動を防ぎかつ、できるだけ軽快な操作性を維持するきめ細かな感度制御を実現することができる。
【００６７】
上述の実施形態では、タッチパネル２６のタッチ面の全域について感度を下げるものとして説明したが、タッチ面内の任意の一部のみについて感度を下げたり戻したりするようにしてもよい。感度制御の対象とする領域は、ユーザーの意図しないタッチ入力の起こり易い領域であるのが好ましい。例えば、図示のＭＦＰ１では開閉されるＡＤＦ１３の下方に操作パネル１２が配置されているので、ＡＤＦ１３の開閉に際して、タッチパネル２６の下半部よりも上半部において、ユーザーの意図しないタッチ入力の起こり易い。したがって、この例では、タッチパネル２６の上半部について感度制御を行うようにすればよい。タッチ検出回路２６３を上半部の処理と下半部の処理とを分担するデュアル構成としてもよいし、スキャン位置に応じて閾値を切替える構成としてもよい。感度制御の対象領域をタッチ面の半分以下の範囲にし、通常の感度に保たれる範囲をより広範囲とすることができる。
【００６８】
上述の実施形態において、感度が下げられていることをユーザーに知らせるようにしてもよい。例えば、操作画面の背景色を通常時と異なる色にしたり、表示の輝度を感度に応じて下げたりすることができる。感度の高低を表すアイコンを表示してもよい。また、例えば「誤操作を防ぐために感度を下げています。強めに（長めに）押してください。」といったメッセージを表示することも可能である。
【００６９】
タッチパネル２６は、投影型の静電容量方式に限らず、表面型の静電容量方式、抵抗膜方式、光学方式など、他の方式であってもよい。その他、ＭＦＰ１の機能構成、ハードウェア構成、および動作は本発明の趣旨に沿う範囲内で適宜変更してもよい。例えば、操作パネル１２をＭＦＰ１の左右方向の中央部に配置することができる。ＭＦＰ以外の機器に本発明を適用することができる。
【符号の説明】
【００７０】
１    ＭＦＰ（据置き型の情報機器、複合機）
２６    タッチパネル
１２    操作パネル
３１    ＡＤＦ開閉センサー（カバー開閉センサー）
３２    原稿セッティングセンサー（シートセッティングセンサー）
３３    パネル角度センサー
３４    フロント扉センサー（扉開閉センサー）
３５    サイド扉センサー（扉開閉センサー）
３６ａ，３６ｂ，３６ｃ，３６ｄ    カセット位置センサー
２１２    検知部
２１３    感度制御部
４１    スタートキー
２６１    タッチパッド
２６３    タッチ検出回路
Ｓｔｈ１    通常の閾値
Ｓｔｈ２    感度低減時の閾値
Ｔｔｈ１    通常の時間閾値
Ｔｔｈ２    感度低減時の閾値
１４２    プラテンガラス
６１    原稿シート
６５    原稿シートの束
１４    イメージスキャナー
１３    ＡＤＦ（プラテンガラスカバー、ドキュメントフィーダー）
１３２    原稿台（シートセッティング部位）
１５    プリンターエンジン
４５，４６，４７，４８    用紙カセット
４１    フロント扉
４２    サイド扉
【図１】
2014016917.tif 000003
【図２】
2014016917.tif 000004
【図３】
2014016917.tif 000005
【図４】
2014016917.tif 000006
【図５】
2014016917.tif 000007
【図６】
2014016917.tif 000008
【図７】
2014016917.tif 000009
【図８】
2014016917.tif 000010
【図９】
2014016917.tif 000011
【図１０】
2014016917.tif 000012
【図１１】
2014016917.tif 000013
【図１２】
2014016917.tif 000014
【図１３】
2014016917.tif 000015